(57)【特許請求の範囲】
【請求項１】
光伝送装置間を光伝送路により接続した光伝送システムに於いて、
誤り監視バイトを含むセクションオーバーヘッドをそれぞれ付加したｋ個のチャネルのデータを揃えてｋ個のデータとし、該ｋ個のデータに対してパリティを生成して付加するパリティ生成部と、該パリティ生成部からの（ｋ＋１）個のデータをそれぞれ異なる波長の光信号に変換して多重化した波長多重信号を光伝送路に送出する波長多重部とを含む送信側の光伝送装置と、
該送信側の光伝送装置からの波長多重信号を波長対応に分離する波長分離部と、該波長分離部により分離された（ｋ＋１）個のデータについてのパリティチェック結果と、前記セクションオーバーヘッドの誤り監視バイトを用いたパリティチェック結果とを基に誤り訂正を行う誤り訂正部とを含む受信側の光伝送装置と
を備えたことを特徴とする光伝送システム。
【請求項２】
光伝送装置間を光伝送路により接続した光伝送システムに於いて、
ｋ個のチャネルの伝送データについて（ｎ−ｋ）個の誤り訂正ビットを生成して付加する符号化部と、該符号化部からのｎ個の系列に対してそれぞれフレーム同期を付加すると共に時分割多重する多重・フレーム生成部と、該多重・フレーム生成部からの時分割多重信号を光信号に変換して光伝送路に送出する電光変換部とを含む送信側の光伝送装置と、
該送信側の光伝送装置からの前記時分割多重信号を電気信号に変換する光電変換部と、該光電変換部により変換された信号のフレーム同期をとって、ｎ個の系列に分離する分離部と、該分離部により分離されたｎ個の系列の中のｋ個の系列について（ｎ−ｋ）個の系列を誤り訂正ビットとして誤り訂正復号処理を行う復号部とを含む受信側の光伝送装置と
を備えたことを特徴とする光伝送システム。
【請求項３】
ｋ個のチャネルのデータにそれぞれ同一位相となるセクションオーバーヘッドを付加するフレーム生成・ＳＯＨ挿入部と、
該フレーム生成・ＳＯＨ挿入部によりセクションオーバーヘッドを付加したｋ個のデータを入力し、該セクションオーバーヘッドのフレーム同期バイトを除いて（ｎ−ｋ）個の誤り訂正ビットを生成し、且つ該（ｎ−ｋ）個の誤り訂正ビットにそれぞれ前記フレーム同期バイトを付加し、ｎ個のデータとして出力する符号化部と、
該符号化部からの前記ｎ個のデータをそれぞれ異なる波長の光信号に変換する電光変換部と、
該電光変換部により変換されたそれぞれ異なる波長の光信号を多重化して波長多重信号とする波長多重部と
を備えたことを特徴とする光伝送装置。
【請求項４】
ｎ波長の光信号を多重化した波長多重信号を波長対応に分離する波長分離部と、
該波長分離部により分離したｎ個の波長の光信号を入力して電気信号に変換する光電変換部と、
該光電変換部により変換されたｎ個のデータのそれぞれフレーム先頭を検出するフレーム先頭検出部と、
前記光電変換部により変換された前記ｎ個のデータを入力し、前記フレーム先頭検出部により検出されたフレーム先頭を一致させて読出すメモリと、
該メモリからフレーム先頭を一致させて読出したｎ個のデータに含まれる（ｎ−ｋ）個の誤り訂正ビットを用いて、ｋ個のデータの誤り訂正復号処理を行う復号部と
を備えたことを特徴とする光伝送装置。
【請求項５】
ｋ個のチャネルのデータにそれぞれ誤り監視バイトを含むセクションオーバーヘッドを付加するＳＯＨ挿入部と、
該ＳＯＨ挿入部からのｋ個のチャネルのデータを入力してパリティを求めて付加するパリティ生成部と、
該パリティ生成部からの（ｋ＋１）個のデータの位相を揃える位相調整部と、
該位相調整部により位相を揃えた（ｋ＋１）個のデータをそれぞれ異なる波長の光信号に変換する電光変換部と、
該電光変換部により変換されたそれぞれ異なる波長の光信号を多重化して波長多重信号とする波長多重部と
を備えたことを特徴とする光伝送装置。
【請求項６】
（ｋ＋１）波長の光信号を多重化した波長多重信号を波長対応に分離する波長分離部と、
該波長分離部により分離した（ｋ＋１）個の波長の光信号を入力して電気信号に変換する光電変換部と、
該光電変換部により変換されて同時に入力されるデータのパリティチェックを行うと共に、ｋ個のチャネル対応のデータに付加されているセクションオーバーヘッドの誤り監視バイトを基にチャネル対応のパリティチェックを行い、両方のパリティチェックにより誤りビット位置を求めるパリティ検出部と、
該パリティ検出部による誤り位置信号によって誤り訂正を行う誤り訂正部と
を備えたことを特徴とする光伝送装置。
【請求項７】
ｋ個のチャネルの伝送データについて（ｎ−ｋ）個の誤り訂正ビットを生成して付加してｎ個の系列として出力する符号化部と、
該符号化部からの前記ｎ個の系列に対してそれぞれフレーム同期を付加すると共に時分割多重する多重・フレーム生成部と、
該多重・フレーム生成部からの時分割多重信号を光信号に変換して光伝送路に送出する電光変換部と
を備えたことを特徴とする光伝送装置。
【請求項８】
時分割多重光信号を電気信号に変換する光電変換部と、
該光電変換部により変換された時分割多重信号のフレーム同期をとってｎ個の系列に分離する分離部と、
該分離部により分離されたｎ個の系列の中の伝送データ対応のｋビット毎に、（ｎ−ｋ）個の誤り訂正ビットを用いて誤り訂正復号処理を行う復号部と
を備えたことを特徴とする光伝送装置。
【請求項９】
ｋ個のチャネルの伝送データの中のｍ個の伝送データについて（ｎ−ｋ）個の誤り訂正ビットを生成して付加する符号化部と、
該符号化部に於いて誤り訂正符号化処理を行わない（ｋ−ｍ）個のチャネルのデータを除くｍ個のチャネルのデータ及び前記（ｎ−ｋ）個の誤り訂正ビットについて識別信号を挿入する信号別信号挿入部と、
前記ｋ個のチャネルの伝送データと前記符号化部により生成した（ｎ−ｋ）個の誤り訂正ビットとを時分割多重化する多重部と、
該多重部による時分割多重化信号を光信号に変換する電光変換部と
を備えたことを特徴とする光伝送装置。
【請求項１０】
ｋ個のチャネルの伝送データと（ｎ−ｋ）個の誤り訂正ビットとを時分割多重化した時分割多重光信号を電気信号に変換する光電変換部と、
該光電変換部により変換された時分割多重信号をｎ個の系列に分離する分離部と、
該分離部により分離されたｎ個の系列に付加された識別信号を検出する識別信号検出部と、
該識別信号検出部により検出した識別番号が付加されたｍ個のチャネルの伝送データと（ｎ−ｋ）個の誤り訂正ビットとの系列を入力し、前記ｍ個のチャネルの伝送データを、前記（ｎ−ｋ）個の誤り訂正ビットを用いて誤り訂正復号処理を行う復号部と
を備えたことを特徴とする光伝送装置。
【請求項１１】
ｋ個のチャネルの伝送データの中のｍ個の伝送データと、（ｋ−ｍ）個の固定データとを入力して（ｎ−ｋ）個の誤り訂正ビットを出力する符号化部と、
該符号化部からの前記ｍ個の伝送データと前記（ｎ−ｋ）個の誤り訂正ビットとの系列に対して識別信号を付加する識別信号挿入部と、
該識別信号挿入部により識別信号を付加した前記ｍ個の伝送データと前記（ｎ−ｋ）個の誤り訂正ビットとの系列と、前記ｋ個のチャネルの伝送データの中の（ｋ−ｍ）個のチャネルの伝送データの系列とを時分割多重化する多重部と、
該多重部による時分割多重化信号を光信号に変換する電光変換部と
を備えたことを特徴とする光伝送装置。
【請求項１２】
ｋ個のチャネルの伝送データと（ｎ−ｋ）個の誤り訂正ビットとを時分割多重化した時分割多重光信号を電気信号に変換する光電変換部と、
該光電変換部により変換された時分割多重信号をｎ個の系列に分離する分離部と、
該分離部により分離されたｎ個の系列に付加された識別信号を検出する識別信号検出部と、
該識別信号検出部により検出した識別信号が付加されたｍ個の伝送データと（ｋ−ｍ）個の固定データと（ｎ−ｋ）個の誤り訂正ビットとの系列を入力し、前記ｍ個の伝送データを、前記（ｎ−ｋ）個の誤り訂正ビットを用いて誤り訂正復号処理を行う復号部と
を備えたことを特徴とする光伝送装置。
【請求項１３】
ｋ個のチャネルのデータにそれぞれ同一位相のセクションオーバーヘッド及びフレーム番号を付加するフレーム生成・ＳＯＨ挿入部と、
該フレーム生成・ＳＯＨ挿入部によりセクションオーバーヘッドを付加したｋ個のデータを入力し、該セクションオーバーヘッドのフレーム同期バイトを除いて（ｎ−ｋ）個の誤り訂正ビットを生成し且つ該（ｎ−ｋ）個の誤り訂正ビットにそれぞれ前記フレーム同期バイトを付加し、ｎ個のデータとして出力する符号化部と、
該符号化部からのｎ個のデータをそれぞれ光信号に変換するｎ個の電光変換部と
を備えたことを特徴とする光伝送装置。
【請求項１４】
ｎ個の光信号をそれぞれ電気信号に変換するｎ個の光電変換部と、
該光電変換部により変換されたｎ個のデータのそれぞれ同一フレーム番号のフレーム先頭を検出するフレーム番号・先頭検出部と、
前記光電変換部により変換された前記ｎ個のデータを入力し、前記フレーム番号・先頭検出部により検出されたフレーム先頭を一致させて読出すメモリと、
該メモリからフレーム先頭を一致させて読出したｎ個のデータに含まれる（ｎ−ｋ）個の誤り訂正ビットを用いて、ｋ個のデータの誤り訂正復号処理を行う復号部と
セクションオーバーヘッドの終端処理を行うＳＯＨ終端部と
を備えたことを特徴とする光伝送装置。
【発明の詳細な説明】
【０００１】
【発明の属する技術分野】
本発明は、長距離大容量伝送に適用できる光伝送システム及び光伝送装置に関する。
マルチメディア等に対応できる大容量伝送システムとして、光信号を用いた伝送システムが開発されている。又光伝送路の有効利用を図る時分割多重伝送システムや波長多重伝送システムも知られている。このような大容量伝送システムに於ける信頼性の向上を図ることが要望されている。
【０００２】
【従来の技術】
図１３は従来例の波長多重伝送システムの説明図であり、同期ディジタルハイアラーキー（ＳＤＨ；Ｓynchronous  Ｄigital  Ｈierarchy）を適用した送信側の光伝送装置２０１と光伝送路２０３と受信側の光伝送装置２０２との概要を示し、送信側の光伝送装置２０１は、ｋ個のチャネル対応のＳＯＨ（Ｓection  Ｏver Ｈead ）挿入部２０４と、電光変換部（ＯＳ）２０５と、波長多重部２０６とを有し、又受信側の光伝送装置２０２は、波長分離部２０７と、光電変換部（ＯＲ）２０８と、ＳＯＨ終端部２０９とを有するものである。
【０００３】
送信側の光伝送装置２０１は、ｋ個のチャネルＣＨ１〜ＣＨｋ対応のデータに、それぞれＳＯＨ挿入部２０４に於いてセクションオーバーヘッドＳＯＨを付加し、電光変換部２０５によりチャネルＣＨ１〜ＣＨｋ対応の波長λ1 〜λn に変換し、波長多重部２０６により多重化し、波長多重信号を光伝送路２０３に送出する。
【０００４】
受信側の光伝送装置２０２は、光伝送路２０３を介して受信した波長多重信号を、波長分離部２０７により波長λ1 〜λk 対応に分離し、光電変換部２０８により電気信号に変換し、ＳＯＨ終端部２０９によりセクションオーバーヘッドの終端を行って、チャネルＣＨ１〜ＣＨｋ対応のデータとして後段の図示を省略した装置へ送出する。従って、ｋ個のチャネルＣＨ１〜ＣＨｋのデータを１本の光伝送路２０３を介して伝送することができる。
【０００５】
又データの伝送誤りを訂正して伝送品質を向上する為に、既に各種の誤り訂正方式が提案されている。例えば、１フレームのデータ或いは所定長のデータについて誤り訂正ビットを生成して付加し、受信側に於いて誤り訂正処理を行うフォワード・エラー訂正方式（ＦＥＣ；Ｆorward  Ｅrror  Ｃorrection ）が知られている。又伝送誤りの有無をチェックする為に、パリティビットを付加する場合が一般的であり、前述のセクションオーバーヘッドＳＯＨにも、誤り監視バイトＢ１，Ｂ２が付加されている。
【０００６】
【発明が解決しようとする課題】
前述の従来例に於ける誤り訂正方式は、１フレーム毎或いは１ブロック毎に誤り訂正ビットを生成して付加するものであるから、誤り訂正ビットを付加しない場合に比較して、伝送速度を高くするか、或いは、伝送速度が予め定められている場合は、誤り訂正ビットを付加した分だけ、伝送可能データを少なくしなければならない。又パリティビットを付加した場合は、誤りの有無をチェックすることができるが、誤りビットの訂正ができないものである。
【０００７】
この誤りビットの誤り訂正能力を高くする為には、誤り訂正ビットを構成するビット数を増加することが必要である。その場合、伝送するデータに対して付加する冗長ビット数が多くなるから、伝送速度が著しく高くなって実用的でない場合が生じる。又セクションオーバーヘッドの未使用バイトを利用して誤り訂正ビットを挿入することが考えられるが、その場合、セクションオーバーヘッドの特定位置に大量の冗長ビットを挿入することになり、送信側の光伝送装置２０１及び受信側の光伝送装置２０２に於ける回路規模の増大の問題がある。又セクションオーバーヘッドの未使用バイトは、将来的に各種の用途に利用できるようにしているものであり、従って、未使用バイトの利用目的が規定されると、誤り訂正ビットを挿入することができなくなる。
本発明は、比較的簡単な構成により、大容量伝送且つ高品質伝送を可能とすることを目的とする。
【０００８】
【課題を解決するための手段】
本発明は、光伝送装置間を光伝送路により接続した光伝送システム及び光伝送装置に関するもので、光伝送システムは、誤り監視バイトを含むセクションオーバーヘッドをそれぞれ付加したｋ個のチャネルのデータを揃えてｋ個のデータとし、このｋ個のデータに対してパリティを生成して付加するパリティ生成部と、このパリティ生成部からの（ｋ＋１）個のデータをそれぞれ異なる波長の光信号に変換して多重化した波長多重信号を光伝送路に送出する波長多重部とを含む送信側の光伝送装置と、この送信側の光伝送装置からの波長多重信号を波長対応に分離する波長分離部と、この波長分離部により分離された（ｋ＋１）個のデータについてのパリティチェック結果と、セクションオーバーヘッドの誤り監視バイトを用いたパリティチェック結果とを基に誤り訂正を行う誤り訂正部とを含む受信側の光伝送装置とを備えている。又ｋ個のチャネルの伝送データについて（ｎ−ｋ）個の誤り訂正ビットを生成して付加する符号化部と、この符号化部からのｎ個の系列に対してそれぞれフレーム同期を付加すると共に時分割多重する多重・フレーム生成部と、この多重・フレーム生成部からの時分割多重信号を光信号に変換して光伝送路に送出する電光変換部とを含む送信側の光伝送装置と、この送信側の光伝送装置からの前記時分割多重信号を電気信号に変換する光電変換部と、この光電変換部により変換された信号のフレーム同期をとって、ｎ個の系列に分離する分離部と、この分離部により分離されたｎ個の系列の中のｋ個の系列について（ｎ−ｋ）個の系列を誤り訂正ビットとして誤り訂正復号処理を行う復号部とを含む受信側の光伝送装置とを備えることができる。
【０００９】
即ち、ｋ個の時間的には並列の伝送データに対して（ｎ−ｋ）個の並列の誤り訂正ビットが付加され、それぞれ異なる波長λ1 〜λn の光信号により波長多重化されて伝送されるから、伝送速度を高くすることなく、受信側に於ける誤り訂正が可能となり、高品質伝送が可能となる。又誤り訂正ビットの生成は、同一タイミングに於けるｋ個のデータに対して行うものであるから、受信側に於いても同一タイミングのデータを用いて誤り訂正復号処理が必要となり、その為に、誤り訂正ビットを含むｎ個のデータの系列にそれぞれフレーム同期バイトを付加することができる。
【００１０】
又誤り監視バイトＢ１，Ｂ２を含むセクションオーバーヘッドＳＯＨをそれぞれ付加したｋ個のチャネルＣＨ１〜ＣＨｋのデータを揃えてｋ個のデータとし、このｋ個のデータに対してパリティ生成部によりパリティビットを生成して付加し、（ｋ＋１）個のデータ系列として、それぞれ異なる波長の光信号に変換し、波長多重化して光伝送路に送出する。受信側に於いては、波長対応に分離し、電気信号に変換してパリティ検出部により（ｋ＋１）個のデータ系列についてパリティチェックを行い、且つセクションオーバーヘッドの誤り監視バイトを用いてチャネルＣＨ１〜ＣＨｋ対応のパリティチェックを行い、それぞれのパリティチェックの結果により、誤りビット位置を特定して、その誤りビットを訂正する構成とする。従って、垂直パリティに相当するパリティビットを余分に付加するだけで、誤り訂正が可能となる。
【００１１】
又時分割多重化された伝送データのように、直列に伝送する伝送データについて、そのｋビット毎に（ｎ−ｋ）個の誤り訂正ビットを生成して付加し、ｋビットの伝送データと（ｎ−ｋ）個の誤り訂正ビットとを異なる波長の光信号に変換して多重化し、この波長多重信号を光伝送路により伝送する。又この波長多重信号を受信して波長対応に分離し、伝送データに対応するｋビットについて（ｎ−ｋ）個の誤り訂正ビットを用いて誤り訂正復号処理を行う。即ち、ｋビットの直列データに対して（ｎ−ｋ）個の誤り訂正ビットを異なる波長に変換して並列伝送することになる。
【００１２】
又ｋ個のチャネルの伝送データの場合、同一タイミングに於けるｋ個のデータに対して（ｎ−ｋ）個の誤り訂正ビットを生成し、合計ｎ個の系列として時分割多重化し、光信号に変換して光伝送路に送出する。受信側では、電気信号に変換してｎ個の系列に分離し、ｋ個のデータを（ｎ−ｋ）個の誤り訂正ビットを用いて誤り訂正復号を行う。この場合、時分割多重伝送可能のチャネルの中に、複数の未使用チャネルが存在した時、その未使用チャネル分を誤り訂正ビットに振り向けることができる。又使用中のチャネル数に対して誤り訂正ビットのビット数が、未使用中のチャネル数より多くなるような場合、使用中のチャネルの重要なチャネルについてのみ誤り訂正符号化することにより、誤り訂正符号の誤り訂正ビット数を、未使用中のチャネル数となるようにし、重要なチャネルのデータについては、誤り訂正符号化により伝送することができる。
【００１３】
【発明の実施の形態】
図１は本発明の第１の実施の形態の説明図であり、１は送信側の光伝送装置、２は受信側の光伝送装置であり、以下の各実施の形態に於いて、送信側の光伝送装置を送信端局装置、受信側の光伝送装置を受信端局装置として説明する。又３は光伝送路、４はＳＯＨ挿入部、５は符号化部、６は位相調整部、７は電光変換部（ＯＳ）、８は波長多重部、１１は波長分離部、１２は光電変換部（ＯＲ）、１３は復号部、１４はＳＯＨ終端部である。この実施の形態は、ＳＤＨを適用し且つ波長多重化して伝送する場合を示す。
【００１４】
送信端局装置１は、ｋ個のチャネルＣＨ１〜ＣＨｋのデータに対してそれぞれＳＯＨ挿入部４に於いてセクションオーバーヘッドを付加し、符号化部５に於いて誤り訂正符号化を行う。この符号化部５は、例えば、（ｎ，ｋ）ハミング符号化を行う構成とすることができる。その場合、符号化部５に入力されるチャネルＣＨ１〜ＣＨｋ対応のデータの同一タイミングに於けるｋ個のビットに対して、（ｎ−ｋ）個の誤り訂正ビットが生成される。
【００１５】
この（ｎ−Ｋ）個の誤り訂正符号ビットとチャネルＣＨ１〜ＣＨｋ対応のｋ個のビットとの合計ｎビットを位相調整部６に入力する。位相調整部６は、誤り訂正符号化処理による遅延を補償してｎ個のビットの位相を一致させるもので、遅延時間を調整できる遅延回路等を適用することができる。このように位相を一致させて電光変換部７に入力し、それぞれ波長λ1 〜λn に変換して、波長多重部８に入力し、波長多重化した波長多重信号を光伝送路３に送出する。
【００１６】
この波長多重部８は、波長λ1 〜λn の光信号を多重化する合波器によって構成することができる。又誤り訂正ビットは、チャネルＣＨ１〜ＣＨｋ対応のデータとは別個の波長により伝送するものであるから、主信号としてのチャネルＣＨ１〜ＣＨｋ対応のデータの伝送速度に影響を及ぼすことはなく、各セクションオーバーヘッドの未使用バイトを利用するものでもないから、既設の波長多重伝送システムに対しても、誤り訂正符号化の構成を付加することができる。
【００１７】
受信端局装置２は、光伝送路３を介して伝送された波長多重信号を波長分離部１１に於いて波長λ1 〜λn の光信号に分離し、それぞれ光電変換部１２により電気信号に変換し、復号部１３に入力する。復号部１３は、チャネルＣＨ１〜ＣＨｋ対応のｋ個のビットと、（ｎ−ｋ）個の誤り訂正ビットとを用いて誤り訂正復号処理を行い、ＳＯＨ終端部１４によりセクションオーバーヘッドＳＯＨの終端を行い、チャネルＣＨ１〜ＣＨｋ対応のデータとして図示を省略した後段の装置へ送出する。
【００１８】
この実施の形態に於いて、各チャネルＣＨ１〜ＣＨｋの伝送データは、フレーム伝送形式やＡＴＭセル形式等の各種の伝送形式とすることも可能である。又位相調整部６を設けたことにより、ＳＯＨ挿入部４は、チャネルＣＨ１〜ＣＨｋ対応にセクションオーバーヘッドＳＯＨを付加すれば済むことになる。
【００１９】
図２は符号化部の説明図であり、（ｎ，ｋ）ハミング符号のｎ＝７，ｋ＝４とした（７，４）ハミング符号の符号化部５の場合を示し、１５−１〜１５−３は排他的オア回路であり、Ｄ１〜Ｄ４は４個のチャネルＣＨ１〜ＣＨ４対応のデータ、Ｄ４〜Ｄ７は生成された誤り訂正ビットである。即ち、チャネルＣＨ１〜ＣＨ４対応のデータＤ１〜Ｄ４に対して３ビットの誤り訂正ビットＤ５〜Ｄ７が生成される。又この符号化部の生成行列（Ｇenerator  Ｍatrix ）Ｇは、図示のようになり、符号間最小距離３で、１ビット誤り訂正が可能である。
【００２０】
図３は復号部の説明図であり、図２に示す符号化部に対応した（７，４）ハミング符号の復号部１３の場合を示し、１６−１〜１６−３，１９−１〜１９−４は排他的オア回路、１７−１〜１７−３はインバータ、１８−１〜１８−４はアンド回路である。又この復号部の検査行列（Ｃheck  Ｍatrix ）Ｈは、図示のようになる。
【００２１】
例えば、送信端局装置１の図２に示す符号化部５に於いて、チャネルＣＨ１〜ＣＨ４対応のデータＤ１〜Ｄ４が総て“１”であるとすると、（７，４）ハミング符号化を行った時、排他的オア回路１５−１〜１５−３は、モジュロ２の加算回路と同様であるから、誤り訂正ビットＤ５〜Ｄ７は総て“１”となる。従って、Ｄ１〜Ｄ７は“１１１１１１１”となる。
【００２２】
受信端局装置２の図３に示す構成の復号部１３に於いては、伝送誤りがなければ、排他的オア回路１６−１〜１６−３の出力信号は総て“０”となる。従って、アンド回路１８−１〜１８−４の出力信号は総て“０”となり、排他的オア回路１９−１〜１９−４はスルー状態と同様となって、入力されたチャネルＣＨ１〜ＣＨ４対応のデータＤ１〜Ｄ４はそのまま出力される。
【００２３】
又１ビットの誤りにより、例えば、チャネルＣＨ２対応のデータＤ２＝“１”がＤ２＝“０”に誤った場合、排他的オア回路１６−１〜１６−３の出力信号は総て“１”となり、３個のアンド回路１８−１，１８−３，１８−４の出力信号は“０”であるが、１個のアンド回路１８−２の出力信号が“１”となる。従って、このアンド回路１８−２の出力信号が入力される排他的オア回路１９−２により、チャネルＣＨ２対応のデータＤ２は反転されて、誤りの“０”から正しい“１”に訂正される。
【００２４】
図４は本発明の第２の実施の形態の説明図であり、２１は送信端局装置、２２は受信端局装置、２３は光伝送路、２４はＳＯＨ挿入部、２５はパリティ生成部、２６は位相調整部、２７は電光変換部（ＯＳ）、２８は波長多重部、３１は波長分離部、３２は光電変換部（ＯＲ）、３３はパリティ検出部、３４はＳＯＨ終端部、３５は誤り訂正部である。
【００２５】
送信端局装置２１のＳＯＨ挿入部２４に於いて、ｋ個のチャネルＣＨ１〜ＣＨｋのデータに対してセクションオーバーヘッドを付加し、バリティ生成部２５に入力する。このパリティ生成部２５は、入力されたｋ個のデータのパリティビットを生成して付加するもので、（ｋ＋１）個のデータとして位相調整部２６に入力する。位相調整部２６は、パリティ生成部２５に於ける遅延の補償を行い、同一位相として電光変換部２７に入力する。この（ｋ＋１）個の電光変換部２７によりそれぞれ異なる波長λ1 〜λk+1 の光信号に変換して波長多重部２８に入力し、多重化した波長多重信号を光伝送路２３に送出する。この場合のパリティは、ｋ個のチャネルＣＨ１〜ＣＨｋ対応のデータに対する垂直パリティに相当することになる。
【００２６】
受信端局装置２２の波長分離部３１は、光伝送路２３を介して伝送された波長多重信号を波長λ1 〜λk+1 対応に分離し、光電変換部３２により電気信号に変換し、パリティ検出部３３に入力する。このパリティ検出部３３は、パリティ生成部２５に於いて生成して付加したパリティビットを用いて、ｋ個のチャネルＣＨ１〜ＣＨｋ対応のデータのパリティチェックを行い、且つセクションオーバーヘッドＳＯＨの誤り監視バイトＢ１，Ｂ２を用いてｋ個のチャネルＣＨ１〜ＣＨｋ対応の１フレームについてのパリティチェックを行い、それぞれのパリティチェックの結果により、誤り位置位置を特定した誤り位置信号を誤り訂正部３５に入力する。
【００２７】
又パリティ検出部３３からのｋ個のチャネルＣＨ１〜ＣＨｋ対応のデータは、ＳＯＨ終端部３４に於いてセクションオーバーヘッドの終端を行い、誤り訂正部３５を介して、チャネルＣＨ１〜ＣＨｋ対応のデータが後段の図示を省略した装置へ送出される。
【００２８】
図５はＳＴＭ−１フレームの説明図であり、前述のＳＤＨに於けるＳＴＭ−１（Ｓynchronous  Ｔransfer Ｍodule Ｌevel  Ｏne）は、１５５．５２Ｍｂｐｓのビットレートであり、５１．８４ＭｂｐｓのＳＴＭ−０を３多重した場合に相当する。このＳＴＭ−１を例えば４多重したＳＴＭ−４は、６２２．０８Ｍｂｐｓのビットレートとなる。又ＳＴＭ−１のセクションオーバーヘッドＳＯＨは、図示のように、９列×９行の構成であり、又ペイロードは２６１列×９行の構成となる。
【００２９】
このセクションオーバーヘッドＳＯＨのＡ１，Ａ２はフレーム同期バイト、Ｃ１はＳＴＭ識別番号バイト、Ｂ１はＢＩＰ−８（Ｂit  Ｉnterleaved  Ｐarity ８）と称される誤り監視バイト、Ｅ１は音声打合せバイト、Ｆ１は故障特定等のバイト、Ｄ１〜Ｄ３はデータ通信チャネル（ＤＣＣ；Ｄata Ｃommunication  Ｃhannel）のデータリンクバイト、Ｈ１〜Ｈ３はＡＵポインタバイト、Ｂ２はＢＩＰ−Ｎ×２４（Ｂit  Ｉnterleaved  Ｐarity Ｎ×２４）と称される誤り監視バイト、Ｋ１，Ｋ２は自動切替（ＡＰＳ；Ａutomatic  Ｐrotection Ｓwitch ）用制御バイト、Ｄ４〜Ｄ１２はデータ通信チャネルのデータリンクバイト、Ｚ１，Ｚ２は予備バイト、Ｅ２は音声打合せバイトを示し、空白及び×印のバイトは予約又は未定義のものである。
【００３０】
誤り監視バイトＢ１は、前フレームに於ける各バイトのビット配列順毎のパリティを求めて付加したものであり、従って、図４の受信端局装置２２のパリティ検出部３３に於いて、フレーム内の各バイトのビット配列順毎のパリティを求めて、次のフレームのセクションオーバーヘッドＳＯＨのＢ１バイトを参照することにより、ビット配列順対応のパリティチェックを行うことができる。
【００３１】
又誤り監視バイトＢ２は、前フレームに於けるＮ×２４（ＮはＳＴＭ−ＮのＮを示し、ＳＴＭ−１の場合はＮ＝１となる）ビットを１ブロックとして、各ブロックのビット配列順毎にパリティを求めて付加するものであり、図示のＳＴＭ−１の場合、２４ビットについての配列順に従ったパリティを求めるから、３バイト構成となる。このような誤り監視バイトＢ１，Ｂ２の生成及び付加の構成と、受信側のチェックの構成とは既に知られている各種の構成を適用することができる。
【００３２】
従って、受信端局装置２２のパリティ検出部３３は、前述の誤り監視バイトＢ１又はＢ２或いは両方を用いて、受信フレーム内のビット配列順対応のパリティチェック、即ち、水平パリティチェックを行い、且つ同時に入力されるチャネルＣＨ１〜ＣＨｋ対応のｋ個のデータとｋ＋１番目のパリティビットとを用いてパリティチェック、即ち、垂直パリティチェックを行うものである。
【００３３】
このパリティ検出部３３に於いてパリティエラーを検出すると、その検出タイミングに於けるチャネルＣＨ１〜ＣＨｋの何れかの受信フレームの１ビットに誤りがあることが判る。又誤り監視バイトＢ１，Ｂ２を参照したパリティチェックに於いてパリティエラーを検出すると、パリティエラーのチャネルとビット配列順位置が判る。従って、このパリティエラーのチャネルと受信ビットのタイミングとを基に、誤りビット位置を特定することができる。
【００３４】
例えば、ペイロード中に示すビット１〜８の配列順が時刻ｔ１，ｔ２，ｔ３，・・・に従って繰り返されることになり、誤り監視ビットＢ１を用いたパリティチェックにより、例えば、ビット１〜８の配列順の中のビット３の位置にパリティエラーを検出し、且つ時刻ｔ１１に於けるパリティ検出部３３へ同時に入力される（ｋ＋１）ビットを用いてパリティチェックを行った時に、パリティエラーを検出すると、斜線で示すビットが伝送誤りを生じたことが判る。従って、この誤りビット位置を示す誤り位置信号を誤り訂正部３５に入力することにより、伝送誤りビットを訂正することができる。即ち、前述のように、水平パリティチェックと垂直パリティチェックとを行って、誤り位置を特定することができるから、ＳＯＨ終端部３４又は誤り訂正部３５に於いて誤り位置が確定するまで、チャネルＣＨ１〜ＣＨｋ対応のデータを保持しておくことにより、容易に誤りビットを訂正することができる。
【００３５】
前述の第１の実施の形態は、誤り訂正符号化を行うことにより、例えば、（７，４）ハミング符号の場合、３ビット分を冗長ビットとして付加する必要があるが、図４に示す第２の実施の形態は、パリティビットとしての１ビット分を付加するだけで済むことになる。従って、誤り訂正符号化及び復号化の構成に比較して、パリティ生成及びパリティチェックの構成は簡単であり、送信端局装置２１及び受信端局装置２２の構成を複雑化することなく、高品質伝送を可能とすることができる。又パリティ生成部２５に於いて生成したパリティビットについても異なる波長に変換して伝送するから、主信号としてのチャネルＣＨ１〜ＣＨｋのデータ速度に影響を与えないことになる。
【００３６】
又誤り監視バイトＢ１，Ｂ２とは別に、更に、１フレームを複数のブロックに分割し、ブロック対応にパリティを求めて、セクションオーバーヘッドＳＯＨの未使用バイトを利用して伝送し、受信側に於いて、このセクションオーバーヘッドＳＯＨに付加したブロック対応のパリティビットを用いてパリティチェックを行うことができる。即ち、ブロック数に対応した僅かなビット数のパリティビットを未使用バイトを利用して付加し、１フレーム中の誤り訂正可能となるビット数を増加することができる。
【００３７】
図６は本発明の第３の実施の形態の説明図であり、４１は送信端局装置、４２は受信端局装置、４３は光伝送路、４４はフレーム生成・ＳＯＨ挿入部、４５は符号化部、４６は電光変換部（ＯＳ）、４７は波長多重部、５１は波長分離部、５２は光電変換部（ＯＲ）、５３はメモリ、５４は復号部、５５はＳＯＨ終端部、５６はフレーム先頭検出部である。
【００３８】
送信端局装置４１は、チャネルＣＨ１〜ＣＨｋ対応にフレーム生成・ＳＯＨ挿入部４４に於いてフレーム先頭が一致するようにフレームを生成し、且つフレーム番号をセクションオーバーヘッドＳＯＨの空きバイトに挿入して符号化部４５に入力する。符号化部４５は、例えば、（ｎ，ｋ）ハミング符号等の誤り訂正符号化を行うものであるが、フレーム生成・ＳＯＨ挿入部４４に於いて付加したセクションオーバーヘッドＳＯＨのフレーム同期バイトについては誤り訂正符号化を行わずに、（ｎ−ｋ）個の誤り訂正ビットの系列に対してもフレーム同期バイトを付加する。
【００３９】
即ち、フレーム生成・ＳＯＨ挿入部４４に於いてｎ個のチャネル対応にフレーム同期バイトを付加し、このフレーム生成・ＳＯＨ挿入部４４からの制御情報に従って符号化部４５は、フレーム同期バイトを除いて、ｋ個のチャネルＣＨ１〜ＣＨｋのｋ個のデータに（ｎ−ｋ）個の誤り訂正ビットを生成して付加し、合計ｎ個のデータとする。この誤り訂正符号ビット系列に対してもフレーム同期バイトを付加する。従って、ｎ個の系列にそれぞれフレーム同期バイトが付加されたものとなる。
【００４０】
符号化部４５からのｎ個の系列のデータを電光変換部４６によりそれぞれ異なる波長λ1 〜λn の光信号に変換して波長多重部４７に入力する。この波長多重部４７により多重化された波長多重信号を、光伝送路４３を介して受信端局装置４２に送出する。
【００４１】
受信端局装置４２に於いては、波長分離部５１によりそれぞれ波長λ1 〜λn の光信号に分離し、光電変換部５２により電気信号に変換し、メモリ５３に加えると共にフレーム先頭検出部５６に加える。フレーム先頭検出部５６は、フレーム同期バイトの検出によりｎ個の系列のフレーム先頭を検出し、メモリ５３からフレーム先頭が一致するように読出タイミングを制御してｎ個の系列の位相を一致させて読出し、読出したデータを復号部５４に入力する。
【００４２】
この場合、同一の光伝送路４３を介して伝送された波長多重信号であっても、長距離伝送に於いては、光ファイバの波長による伝送速度の相違により、受信側に於ける波長対応の光信号が同一タイミングではなくなる。このような場合でも、一旦メモリ５３に書込んだ後、フレーム先頭が一致するように読出タイミングを制御することにより、位相を一致させることができる。なお、メモリ５３は読出タイミングを制御できるＦＩＦＯ形式の構成とすることができる。
【００４３】
復号部５４は、送信側の符号化部４５の誤り訂正符号化に対応して、誤り訂正復号化処理を行う構成を有するものであり、誤り訂正されたチャネルＣＨ１〜ＣＨｋ対応のデータをＳＯＨ終端部５５に入力し、セクションオーバーヘッドＳＯＨの終端処理を行って後段の装置へ送出する。
【００４４】
又送信端局装置４１のフレーム生成・ＳＯＨ挿入部４４のフレーム生成の機能を、符号化部４５の後段に設けることも可能である。その場合も、受信端局装置４２に於いてフレーム先頭位置を検出し、フレーム先頭を一致させて誤り訂正復号化処理を行うことができる。
【００４５】
光伝送路４３は、前述のように、波長に従って光信号の伝搬速度が相違するものであり、例えば、１０Ｇｂｐｓ等の高速の長距離伝送に於いては、波長分離部５１により波長対応に分離した時に位相が揃わなくなる。そこで、送信側に於いてフレーム同期をとって付加したフレーム同期バイトを基に、フレーム先頭を検出し、メモリ５３を用いて位相を一致させることにより、高速伝送データに対しても、復号部５４に於いて確実に誤り訂正復号処理を行うことができる。
【００４６】
図７は本発明の第４の実施の形態の説明図であり、送信端局装置６１と受信端局装置６２との間に、中継光伝送装置６３，６４を配置して、光伝送路６５，６６，６７により接続した光伝送システムに於いて、中継光伝送装置６３，６４間に於ける波長多重信号の高品質伝送を行う場合を示す。又７１は波長分離部、７２は符号化部、７３は波長変換部（ＯＳ）、７４は位相調整部、７５は波長多重部、７６は波長分離部、７７は復号部、７８は波長多重部である。
【００４７】
中継光伝送装置６３は、例えば、図１の送信端局装置１の機能に相当する誤り訂正符号化と波長多重化との機能を有し、又中継光伝送装置６４は、図１の受信端局装置２の機能に相当する波長分離と誤り訂正復号との機能を有するものである。又波長分離部７１により分離された波長λ1 〜λk の光信号は、符号化部７２に於いて誤り訂正符号化される。
【００４８】
この符号化部７２は、光論理回路によって構成し、光信号のまま誤り訂正符号化を行う構成とすることも可能である。この場合、例えば、（ｎ，ｋ）ハミング符号を適用すると、生成された（ｎ−ｋ）個の誤り訂正ビットについては、波長λ1 〜λk と異なる波長λk+1 〜λn に波長変換部７３により変換し、チャネル対応の波長λ1 〜λk の光信号と共に位相調整部７４に入力する。
【００４９】
この場合の位相調整部７４は、光遅延回路等により構成し、符号化部７２による処理遅延を補償して、波長λ1 〜λn の光信号の位相を一致させて波長多重部７５に入力する。そして、この波長多重部７５により多重化した波長多重信号を光伝送路６６に送出する。
【００５０】
又波長分離部７１により分離した波長λ1 〜λk の光信号を一旦電気信号に変換し、図１に示す場合と同様に誤り訂正符号化を行った後、生成された誤り訂正ビットを含めて波長λ1 〜λn の光信号に変換することも可能である。この場合、波長変換部７３を省略し、位相調整部７４の後段に電光変換部を配置して、波長λ1 〜λn の光信号に変換し、波長多重部７５に入力することになる。
【００５１】
又中継光伝送装置６４の復号部７７も、光論理回路によって構成し、波長分離部７６により分離された波長λ1 〜λn の光信号を復号部７７に入力して、誤り訂正復号化処理を行い、チャネル対応の波長λ1 〜λk の光信号を波長多重部７８に入力して多重化し、波長多重信号を光伝送路６７を介して受信端局装置６２へ送出することもできる。即ち、光信号のまま処理して中継送出することができる。又光ファイバ増幅器等を設けて、波長多重信号の増幅中継を行うこともできる。
【００５２】
又波長分離部７６により分離された波長λ1 〜λn の光信号をそれぞれ電気信号に変換し、図１に示す構成と同様に、電気信号により誤り訂正復号化処理を行い、チャネル対応の波長λ1 〜λk の光信号に変換し、波長多重部７８により多重化し、波長多重信号を受信端局装置６２へ光伝送路６７を介して送出する構成とすることもできる。
【００５３】
又送信端局装置６１と中継光伝送装置６３との間、及び中継光伝送装置６４と受信端局装置６２との間についても、同様に、誤り訂正ビットを生成，付加した波長多重信号を伝送することも可能である。その場合、中継光伝送装置６３，６４は、復号部と符号化部とをそれぞれ設けた構成とし、復号部により誤り検出がない場合、そのまま波長λ1 〜λn の光信号を多重化して送出する構成とし、誤り検出があった場合、誤り訂正した後、波長λ1 〜λn の光信号を多重化して送出することになる。
【００５４】
図８は本発明の第５の実施の形態の説明図であり、ＴＤＭ（Ｔime Ｄivision Ｍultiplex）光伝送システムに適用した場合を示す。同図に於いて、８１は送信端局装置、８２は受信端局装置、８３は光伝送路、８４は符号化部、８５は位相調整部、８６，８７は電光変換部（ＯＳ１，ＯＳ２）、８８は波長多重部、９１は波長分離部、９２，９３は光電変換部（ＯＲ１，ＯＲ２）、９４は復号部である。
【００５５】
符号化部８４は、例えば、時分割多重を行うタイムスロットのビット数をｋ個とした時に、（ｎ，ｋ）ハミング符号を適用し、（ｎ−ｋ）個の誤り訂正ビットを生成する構成とすることができる。或いは、タイムスロットやフレーム等毎ではなく、直列のデータに対して、任意数のｋビット毎に分割し、例えば、前述の（ｎ，ｋ）ハミング符号化を行うこともできる。
【００５６】
符号化部８４による例えば（ｎ−ｋ）個の誤り訂正符号ビットと、主信号としてのｋビットとの先頭位置を一致させるように、位相調整部８５により位相調整し、電光変換部８６により主信号としてのｋビットを波長λ1 に変換し、電光変換部８７により誤り訂正用の（ｎ−ｋ）ビットを波長λ2 に変換して、波長多重部８８により波長多重し、この波長多重信号を光伝送路８３を介して受信端局装置８２へ送出する。従って、主信号としてのｋビットの伝送速度に影響を与えることなく、（ｎ−ｋ）ビットの冗長ビットを伝送することができる。
【００５７】
符号化部８４を、例えば、図２に示す（７，４）ハミング符号の符号化部とした場合、直列に入力されるＤ１〜Ｄ４をシフトレジスタに入力して、４ビットのＤ１〜Ｄ４が揃った時の並列出力のＤ１〜Ｄ４を用いて、Ｄ５〜Ｄ７の冗長ビットを生成し、Ｄ１〜Ｄ４をシフトレジスタ等により直列に変換して電光変換部８６に入力し、Ｄ５〜Ｄ７をシフトレジスタ等により直列に変換して電光変換部８７に入力する構成とすることができる。その場合、直列に変換して送出するタイミングを制御することにより、位相調整部８５の機能を同時に実現することも可能となる。
【００５８】
又図示の位相調整部８５は、符号化部８４から出力されるｋ個のビットからなるデータと、（ｎ−ｋ）個の冗長ビットとの処理時間差に対応して、電光変換部８６の前段に設けることもできる。又符号化するデータのビット数ｋと、生成された冗長ビットのビット数（ｎ−ｋ）とは、通常、ｋ＞（ｎ−ｋ）の関係となるが、それらを整数比の関係となるように選定すると、クロック信号の分周等について好都合となる。
【００５９】
受信端局装置８２に於いては、波長分離部９１により波長λ1 ，λ2 に分離し、光電変換部９２，９３によりそれぞれ電気信号に変換し、ｋ個のビットからなるデータと、（ｎ−ｋ）個の冗長ビットとを復号部９４に入力し、誤り訂正復号化を行う。従って、前述のように、伝送誤りが発生しても、自動的に誤り訂正を行うことができる。この誤り訂正を行う復号部９４は、前述のように、（７，３）ハミング符号を用いた場合、図３に示す構成を適用し、直列に入力されるＤ１〜Ｄ７を並列に変換して入力し、誤り訂正したＤ１〜Ｄ４を直列に変換して出力することができる。
【００６０】
又主信号としてのデータの伝送速度は、誤り訂正ビットを付加しない場合と同一とすることができる。従って、既設の光伝送システムに対しても、送信端局装置に符号化部８４と波長多重化手段とを設け、受信端局装置に波長分離手段と誤り訂正復号を行う復号部９４とを設けることにより、高品質伝送を可能とすることができる。又主信号としては、ＴＤＭ信号以外の、例えば、前述の１チャネルについてのＳＴＭ−Ｎの信号とし、誤り訂正ビットを異なる波長により波長多重化して送信することもできる。このような伝送システムとした場合、ＳＴＭ−Ｎのセクションオーバーヘッドの空きバイト等を使用することなく、誤り訂正符号化により高品質伝送を可能とすることができる。
【００６１】
図９は本発明の第６の実施の形態の説明図であり、１０１は送信端局装置、１０２は受信端局装置、１０３は光伝送路、１０４は符号化部、１０５は多重・フレーム生成部、１０６は電光変換部（ＯＳ）、１０７は光電変換部（ＯＲ）、１０８はＳＯＨ終端・分離部、１０９は復号部を示す。
【００６２】
例えば、ｎ多重のＴＤＭ伝送装置に於いて、ｋチャネル分ＣＨ１〜ＣＨｋのデータの時分割多重を行う運用形態で、（ｎ−ｋ）チャネル分が未使用となっている場合、送信端局装置１０１の符号化部１０４は、例えば、（ｎ，ｋ）ハミング符号に変換する構成とし、ｋ個のチャネルＣＨ１〜ＣＨｋのデータに対して、（ｎ−ｋ）個の誤り訂正ビットを生成し、多重・フレーム生成部１０５に於いてｎチャネル分ＣＨ１〜ＣＨｎのデータの時分割多重と同様に多重化し、且つフレーム同期パターンを付加し、電光変換部１０６により光信号に変換して光伝送路１０３に送出する。
【００６３】
受信端局装置１０２は、光電変換部１０７により電気信号に変換し、ＳＯＨ終端・分離部１０８によりフレーム同期をとり、ｎチャネルＣＨ１〜ＣＨｎ対応に時分割多重信号を分離して復号部１０９に入力する。復号部１０９は、ｋビットのデータと（ｎ−ｋ）個の誤り訂正ビットとを用いて誤り訂正復号化処理を行い、チャネルＣＨ１〜ＣＨｋのデータとして後段の装置へ送出する。この場合、送信側に於いてフレーム同期をとり、又受信側に於いてもフレーム同期をとって分離するから、位相調整部を省略することができる。
【００６４】
又誤り訂正符号ビットとして使用できる未使用チャネル数が、システム拡張によって減少した場合、未使用チャネル数と使用チャネル数との対応に従った符号化手段を適用するように変更することも可能である。又未使用チャネル数が１となり、パリティビットとして使用できる場合、前述のＳＴＭ−Ｎのセクションオーバーヘッドの誤り監視バイトＢ１，Ｂ２を利用して、伝送誤りビット位置を特定して誤り訂正を行う構成とすることも可能である。
【００６５】
図１０は本発明の第７の実施の形態の説明図であり、１１１は送信端局装置、１１２は受信端局装置、１１３は光伝送装置、１１４は符号化部、１１５は識別信号挿入部、１１６は多重部、１１７は電光変換部（ＯＳ）、１１８は光電変換部（ＯＲ）、１１９は分離部、１２０は識別信号検出部、１２１は復号部である。
【００６６】
この実施の形態は、図９に示す実施の形態に於いて、使用中のチャネルＣＨ１〜ＣＨｋの中の任意のｍチャネル分について、例えば、（ｎ＋ｍ−ｋ，ｍ）ハミング符号化を行う場合を示し、例えば、ｎ＝９，ｋ＝６，ｍ＝４とすると、９チャネルの中の６チャネル分を使用中とし、３チャネル分を未使用中とした状態に於いて、使用中のチャネルの中から４チャネル分を用いて（７，４）ハミング符号化することができる。
【００６７】
そして、このハミング符号化しない使用中のチャネル、例えば、チャネルＣＨ２のデータは、符号化部１１４と識別信号挿入部１１５とを点線で示すようにスルー状態とする。又符号化するチャネルのデータの順序を識別信号挿入部１１５によって挿入する。この識別信号挿入部１１５による識別信号は、誤り訂正符号化するチャネルのフレームの先頭の制御フィールド等を利用して挿入するか、或いはＳＴＭ−Ｎのフレームのペイロードに挿入されるパスオーバーヘッドのＪ１バイトを利用することもできる。
【００６８】
多重部１１６は、チャネルＣＨ１〜ＣＨｋのデータと、生成した誤り訂正ビットビットとを時分割多重化する。即ち、１〜ｋビットと、（ｋ＋１）〜ｎビットとが、チャネル１〜ｎとして多重化される。そして、時分割多重信号を電光変換部１１７により光信号に変換して光伝送路１１３に送出する。
【００６９】
受信端局装置１１２に於いては、光電変換部１１８により電気信号に変換し、分離部１１９によりｎチャネル分に時分割多重信号を分離し、識別信号検出部１２０に入力して、送信端局装置１１１に於いて付加した識別信号を検出する。識別信号が付加されていないデータについては、例えば、前述のチャネルＣＨ２のデータについては点線で示すように、復号部１２１はスルー状態として出力する。識別信号が付加されたデータについては、復号部１２１に識別信号に従った順序として入力し、誤り訂正復号化処理を行う。従って、使用中チャネル数が多く、その中の重要なチャネルに対しては、誤り訂正符号化を適用して送信することができる。
【００７０】
図１１は本発明の第８の実施の形態の説明図であり、１３１は送信端局装置、１３２は受信端局装置、１３３は光伝送路、１３４は符号化部、１３５は識別信号挿入部、１３６は多重部、１３７は電光変換部（ＯＳ）、１３８は光電変換部（ＯＲ）、１３９は分離部、１４０は識別信号検出部、１４１は復号部である。
【００７１】
多重部１３６はｎチャネルを時分割多重し、分離部１３９はｎチャネルの時分割多重信号を分離する機能を備えており、このｎチャネルの中の任意のｍ（＜ｋ）チャネル分について誤り訂正符号化を行う場合に、（ｋ−ｍ）チャネル分は固定データを符号化部１３４に入力して誤り訂正符号化を行うものである。例えば、チャネルＣＨ１〜ＣＨ（ｋ−ｍ）のデータを多重部１３６に入力し、チャネルＣＨ（ｋ−ｍ＋１）〜ＣＨｋのデータを符号化部１３４に入力し、且つチャネルＣＨ１〜ＣＨ（ｋ−ｍ）に対応する固定データ１’〜（ｋ−ｍ）’を符号化部１３４に入力する。即ち、符号化部１３４に、ｋチャネル分のデータを入力して、例えば、（ｎ，ｋ）ハミング符号化を行う。
【００７２】
従って、符号化部１３４からは、固定データ１’〜（ｋ−ｍ）’と、チャネルＣＨ（ｋ−ｍ＋１）〜ＣＨｋのデータと、誤り訂正ビット（ｋ−ｍ＋１）〜ｎとが出力される。この中のチャネルＣＨ（ｋ−ｍ＋１）〜ＣＨｋのデータと、誤り訂正ビット（ｋ−ｍ＋１）〜ｎとに対して、識別信号挿入部１３５により識別信号を挿入して多重部１３６に入力する。この多重部１３６は、チャネルＣＨ１〜ＣＨｎの時分割多重を行うことになり、多重化信号は電光変換部１３７により光信号に変換されて光伝送路１３３を介して受信端局装置１３２へ送出される。
【００７３】
受信端局装置１３２に於いては、光電変換部１３８により電気信号に変換し、分離部１３９によりチャネルＣＨ１〜ＣＨｎ対応に分離し、識別信号検出部１４０に入力する。識別信号検出部１４０は、識別信号を検出し、その識別信号による順序に従って復号部１４１に入力する。従って、チャネルＣＨ１〜ＣＨ（ｋ−ｍ）のデータは、誤り訂正符号化されなかったので、そのまま送出する。又誤り訂正符号化したチャネルＣＨ（ｋ−ｍ＋１）〜ＣＨｎのデータは復号部１４１に入力する。又符号化部１３４に入力した固定データ１’〜（ｋ−ｍ）’と同一のデータを復号部１４１に入力する。それによって、誤り訂正されたチャネルＣＨ（ｋ−ｍ＋１）〜ＣＨｋのデータが送出される。
【００７４】
この実施の形態によれば、未使用チャネルを有効に利用して、任意数の任意のチャネルのデータの高品質伝送を可能とすることができる。又符号化部１３４は、ハミング符号化のみでなく、他の誤り訂正符号化構成とすることも可能である。又復号部１４１は、送信端局装置１３１の符号化部１３４の構成に対応した復号化処理の構成とすることになる。
【００７５】
図１２は本発明の第９の実施の形態の説明図であり、１５１は送信端局装置、１５２は受信端局装置、１５３−１〜１５３−ｎは光伝送路、１５４はフレーム生成・ＳＯＨ挿入部、１５５は符号化部、１５６は電光変換部（ＯＳ）、１５７は光電変換部（ＯＲ）、１５８はメモリ、１５９は復号部、１６０はＳＯＨ終端部、１６１はフレーム番号・先頭検出部である。
【００７６】
この実施の形態は、図６に示す実施の形態に類似するものであるが、光信号を多重化することなく、複数の光伝送路１５３−１〜１５３−ｎによってチャネルＣＨ１〜ＣＨｎ対応のデータと誤り訂正ビットとを伝送するものである。その時、フレーム生成・ＳＯＨ挿入部１５４に於いて、チャネルＣＨ１〜ＣＨｋ対応にセクションオーバーヘッドＳＯＨを同一のタイミングに於いて付加し、且つフレーム番号を、セクションオーバーヘッドＳＯＨの空きバイトに挿入する。或いは、バーチャルコンテナーのパスオーバーヘッドのＪ１バイト等にフレーム番号を挿入する。従って、チャネルＣＨ１〜ＣＨｋのデータは、位相が一致した状態で符号化部１５５に入力される。
【００７７】
符号化部１５５は、例えば、（ｎ，ｋ）ハミング符号化を行うものであり、その場合に、セクションオーバーヘッドＳＯＨのフレーム同期バイトに対しては符号化しないと共に、誤り訂正ビットの各系列に対してもフレーム同期バイトを付加する。即ち、１〜ｎの系列の総てにフレーム同期バイトが付加されて、電光変換部１５６に入力される。この電光変換部１５６により光信号に変換し、光伝送路１５３−１〜１５３−ｎを介して受信端局装置１５２に送出する。
【００７８】
受信端局装置１５２に於いては、光電変換部１５７により電気信号に変換し、フレーム番号・先頭検出部１６１とメモリ１５８とに加える。フレーム番号・先頭検出部１６１は、光伝送路１５３−１〜１５３−ｎを伝搬した光信号が、それぞれの長さの相違や特性の相違等によって光電変換部１５７に入力される位相が相違した場合でも、フレーム番号が一致し、且つそのフレームの先頭を検出することにより、メモリ１５８から読出すタイミングを制御して、復号部１５９に入力するｎビットについての位相を一致させることにより、送信側の誤り訂正符号化に従った誤り訂正復号処理を行うことができる。そして、ＳＯＨ終端部１６０によりセクションオーバーヘッドＳＯＨの終端を行い、チャネルＣＨ１〜ＣＨｋのデータを図示を省略した後段の装置へ送出する。
【００７９】
本発明は、前述の各実施の形態にのみ限定されるものではなく、種々付加変更することができるものであり、例えば、誤り訂正符号，巡回符号，ＢＣＨ（Ｂose Ｃhaudhuri−Ｈocquenghem）符号，ファイヤ（Ｆire ）符号等を適用することも可能である。又各実施の形態に於ける符号化部と復号部又はパリティ生成部とパリティ検出部とを、光論理回路等を用いて光信号のままで誤り訂正符号化やパリティ生成を行うと共に、誤り訂正復号化やパリティチェックを行う構成とすることも可能である。その場合、光信号の強度変調によるものであるから、異なる波長の光信号についての論理処理も可能となり、誤り訂正ビット又はパリティビットについて波長変換を施せば良いことになる。
【００８０】
【発明の効果】
以上説明したように、本発明は、送信側の光伝送装置、即ち、送信端局装置に於いて、ｋ個のチャネルＣＨ１〜ＣＨｋのデータに対して、（ｎ−ｋ）個の誤り訂正ビットを生成して付加し、ｎ個のデータとしてそれぞれ異なる波長の光信号に変換し、この光信号を多重化して伝送し、受信側の光伝送装置、即ち、受信端局装置に於いて、波長分離し、ｋ個のデータを（ｎ−ｋ）個の誤り訂正ビットを用いて誤り訂正復号処理を行うものであり、主信号としてのｋ個の伝送データについては伝送速度を上昇させることなく、又ＳＤＨに適用した場合に、セクションオーバーヘッドＳＯＨの未使用バイトを利用することなく、高品質伝送を可能とすることができる利点がある。
【００８１】
又本発明は、送信側の光伝送装置に於いて、それぞれセクションオーバーヘッドＳＯＨを付加したｋ個のチャネルＣＨ１〜ＣＨｋのデータに対して、パリティビットを付加し、それぞれ異なる波長の光信号に変換し、この光信号を多重化して伝送し、受信側の光伝送装置に於いて、波長分離し、同一タイミングの受信データのパリティチェックと、セクションオーバーヘッドの誤り監視バイトＢ１，Ｂ２を用いたチャネルＣＨ１〜ＣＨｋ対応の１フレームについてパリティチェックとにより、誤りビット位置を特定して、誤り訂正を行うものであり、ＳＤＨに於けるセクションオーバーヘッドＳＯＨの誤り監視バイトＢ１，Ｂ２の利用と、僅かなパリティビットの付加とにより、誤り訂正を行って高品質伝送を経済的に可能とすることができる利点がある。
【００８２】
又本発明は、例えば、時分割多重伝送にも適用できるものであり、１チャネルに相当する伝送データの場合は、送信側の光伝送装置に於いて、ｋビット毎に（ｎ−ｋ）個の誤り訂正ビットを生成し、伝送データと誤り訂正ビットとを別個の波長に変換して波長多重化して伝送し、受信側の光伝送装置に於いて、波長分離して、ｋビットの伝送データに対して（ｎ−ｋ）個の誤り訂正ビットを用いて誤り訂正を行うものであり、主信号としての伝送データの伝送速度を変更することなく、誤り訂正ビットを伝送し、受信側に於いて誤り訂正が可能となるから、高品質伝送を行うことができる。
【００８３】
又本発明は、ｎ個のチャネルＣＨ１〜ＣＨｎのデータを時分割多重化して伝送する場合に、未使用のチャネルを利用して誤り訂正ビットを伝送するものであり、その場合に、誤り訂正符号化するチャネル数を任意に選定することも可能となる。従って、未使用のチャネル数が少ない場合でも、重要なチャネルのデータに対しては、誤り訂正符号化することが可能となる。
【図面の簡単な説明】
【図１】本発明の第１の実施の形態の説明図である。
【図２】符号化部の説明図である。
【図３】復号部の説明図である。
【図４】本発明の第２の実施の形態の説明図である。
【図５】ＳＴＭ−１フレームの説明図である。
【図６】本発明の第３の実施の形態の説明図である。
【図７】本発明の第４の実施の形態の説明図である。
【図８】本発明の第５の実施の形態の説明図である。
【図９】本発明の第６の実施の形態の説明図である。
【図１０】本発明の第７の実施の形態の説明図である。
【図１１】本発明の第８の実施の形態の説明図である。
【図１２】本発明の第９の実施の形態の説明図である。
【図１３】従来例の波長多重伝送システムの説明図である。
【符号の説明】
１  送信側の光伝送装置（送信端局装置）
２  受信側の光伝送装置（受信端局装置）
３  光伝送路
４  ＳＯＨ挿入部
５  符号化部
６  位相調整部
７  電光変換部（ＯＳ）
８  波長多重部
１１  波長分離部
１２  光電変換部（ＯＲ）
１３  復号部
１４  ＳＯＨ終端部
【図１】
0003694848.tif 000002
【図２】
0003694848.tif 000003
【図３】
0003694848.tif 000004
【図４】
0003694848.tif 000005
【図５】
0003694848.tif 000006
【図６】
0003694848.tif 000007
【図７】
0003694848.tif 000008
【図８】
0003694848.tif 000009
【図９】
0003694848.tif 000010
【図１０】
0003694848.tif 000011
【図１１】
0003694848.tif 000012
【図１２】
0003694848.tif 000013
【図１３】
0003694848.tif 000014